(57)【要約】【課題】内部の観察を容易とすることができる小動物用ケースを提供する。【解決手段】小動物用ケースのケース本体を、矩形容器状の底部トレイと、該底部トレイの周縁に立設された周壁１３で構成し、ケース本体上部に、屋根を取り付ける。ケース本体内に、回し車と吸水具と中間棚とを設ける。ケース本体１１の周壁１３を、線材５１，・・・が離間して接合されてなる網状パネル５２，５２と、透明性を有した板状部材からなる板状パネル５３，５３とで構成し、網状パネル５２と板状パネル５３とを交互に連結する。【選択図】          図３
2004344082.tif 000002
【特許請求の範囲】
【請求項１】
ケース本体の周壁を、線材が離間して接合されてなる網状パネルと、透明性を有した板状部材からなる板状パネルとの組合せによって形成したことを特徴とする小動物用ケース。
【請求項２】
前記網状パネル又は前記板状パネルで構成された壁部を複数連結して前記周壁を構成し、
隣接する一方の壁部に側縁より延出する延出部を設けるとともに、他方の壁部の側縁部に、前記延出部が挿入される挿入孔と、該挿入孔へ挿入された前記延出部と係合して抜けを阻止する係止部とを設けたことを特徴とする請求項１記載の小動物用ケース。
【請求項３】
前記一方の壁部を、前記網状パネルで構成し、前記延出部を、当該網状パネルを構成する線材が側縁より延出した後折り返されてなる折返し片で構成する一方、
前記他方の壁部を、前記板状パネルで構成し、該板状パネルの側縁部に、前記折返し片が挿入される前記挿入孔と、該挿入孔へ挿入された前記折返し片を構成する線材の内側に挿入される前記係止部とを設けたことを特徴とする請求項２記載の小動物用ケース。
【請求項４】
前記ケース本体内に設置される棚を備える一方、
前記板状パネルの内側面に、前記棚の縁部を係止して支持する支持部を形成したことを特徴とする請求項１、２又は３記載の小動物用ケース。
【請求項５】
前記棚を、前記板状パネルと前記網状パネルとの角部に設け、前記棚に、前記支持部に支持された状態で、前記網状パネルを構成する線材に係止される棚係止部を設けたことを特徴とする請求項４記載の小動物用ケース。
【請求項６】
前記棚を、前記板状パネルと前記板状パネルとの角部に設け、この角部を形成する前記両板状パネルの内側面に、対応する棚の縁部を支持する前記支持部をそれぞれ形成したことを特徴とする請求項４記載の小動物用ケース。
【請求項７】
前記ケース本体内に設置される回し車を備え、該回し車を、有底円筒状の回し車本体と、該回し車本体を回転自在に支持する回転軸とで構成し、該回転軸の端部に、ストッパーと、該ストッパに軸部を介して設けられた摘み部とを設ける一方、
前記板状パネルに、前記摘み部が挿通されて回転される抜け止め穴を設けたことを特徴とする請求項１から６にいずれか記載の小動物用ケース。
【発明の詳細な説明】
【０００１】
【発明の属する技術分野】
本発明は、小鳥やリスやハムスター等の小動物を飼育する小動物用ケースに関する。
【０００２】
【従来の技術】
従来、ハムスターを飼育する際には、小動物用ケースが用いられていた（例えば、特許文献１参照。）。
【０００３】
この小動物用ケースは、底部を除くケース本体の部分が網材で形成されており、該網材は、金属線が格子状に接合されて形成されている。
【０００４】
【特許文献１】
実開昭５７−１４６８６６号公報（第１図）
【０００５】
【発明が解決しようとする課題】
しかしながら、このような小動物用ケースにあっては、ケース本体が網材で形成されているため、網材を構成する金属線の部位にて視界が妨げられてしまう。
【０００６】
このため、金属線間から内部を観察しなければならないという問題点があった。
【０００７】
本発明は、このような従来の課題に鑑みてなされたものであり、内部の観察を容易とすることができる小動物用ケースを提供することを目的とするものである。
【０００８】
【課題を解決するための手段】
前記課題を解決するために本発明の請求項１の小動物用ケースにあっては、ケース本体の周壁を、線材が離間して接合されてなる網状パネルと、透明性を有した板状部材からなる板状パネルとの組合せによって形成した。
【０００９】
すなわち、内部空間を包囲するケース本体の周壁は、その一部が透明性を有する板状パネルで構成される。これにより、この板状部材の全域に内部を観察する領域が確保される。
【００１０】
そして、前記周壁は、その一部が線材で形成された網状パネルで構成される。これにより、この網状パネルによって通気性が確保される。
【００１１】
また、請求項２の小動物用ケースにおいては、前記網状パネル又は前記板状パネルで構成された壁部を複数連結して前記周壁を構成し、隣接する一方の壁部に側縁より延出する延出部を設けるとともに、他方の壁部の側縁部に、前記延出部が挿入される挿入孔と、該挿入孔へ挿入された前記延出部と係合して抜けを阻止する係止部とを設けた。
【００１２】
すなわち、ケース本体の周壁は、前記網状パネル又は前記板状パネルで構成された壁部によって形成されている。
【００１３】
この周壁を形成する際には、一方の壁部に設けられた延出部を、他方の壁部に設けられた挿入孔へ挿入する。すると、この挿入孔へ挿入された前記延出部は、当該他方の壁部に設けられた係止部と係合して抜けが阻止され、両壁部が連結される。
【００１４】
さらに、請求項３の小動物用ケースでは、前記一方の壁部を、前記網状パネルで構成し、前記延出部を、当該網状パネルを構成する線材が側縁より延出した後折り返されてなる折返し片で構成する一方、前記他方の壁部を、前記板状パネルで構成し、該板状パネルの側縁部に、前記折返し片が挿入される前記挿入孔と、該挿入孔へ挿入された前記折返し片を構成する線材の内側に挿入される前記係止部とを設けた。
【００１５】
すなわち、前記一方の壁部は、網状パネルで構成され、前記延出部は、当該網状パネルを構成する線材が側縁より延出した後折り返されてなる折返し片によって構成される。
【００１６】
また、前記他方の壁部は、前記板状パネルで構成され、前記折返し片が前記挿入孔へ挿入された状態において、前記係止部が前記折返し片を構成する線材の内側に挿入された状態で係止される。
【００１７】
加えて、請求項４の小動物用ケースにあっては、前記ケース本体内に設置される棚を備える一方、前記板状パネルの内側面に、前記棚の縁部を係止して支持する支持部を形成した。
【００１８】
すなわち、棚の縁部を板状パネルの支持部に支持することにより、ケース本体の周壁に棚が形成される。
【００１９】
また、請求項５の小動物用ケースでは、前記棚を、前記板状パネルと前記網状パネルとの角部に設け、前記棚に、前記支持部に支持された状態で、前記網状パネルを構成する線材に係止される棚係止部を設けた。
【００２０】
すなわち、棚の縁部を、板状パネルの支持部に支持した状態で、棚係止部を前記網状パネルを構成する線材に係止することで、前記板状パネルと前記網状パネルとの角部に棚が設置される。
【００２１】
さらに、請求項６の小動物用ケースにあっては、前記棚を、前記板状パネルと前記板状パネルとの角部に設け、この角部を形成する前記両板状パネルの内側面に、対応する棚の縁部を支持する前記支持部をそれぞれ形成した。
【００２２】
すなわち、棚の一方の縁部を、一方の板状パネルの支持部に支持するとともに、他方の縁部を、他方の板状パネルの支持部に支持することで、前記板状パネルと前記板状パネルとの角部に棚が設置される。
【００２３】
加えて、請求項７の小動物用ケースにおいては、前記ケース本体内に設置される回し車を備え、該回し車を、有底円筒状の回し車本体と、該回し車本体を回転自在に支持する回転軸とで構成し、該回転軸の端部に、ストッパーと、該ストッパに軸部を介して設けられた摘み部とを設ける一方、前記板状パネルに、前記摘み部が挿通されて回転される抜け止め穴を設けた。
【００２４】
すなわち、回し車を支持する回転軸に設けられた摘み部を、板状パネルの抜け止め穴へ挿入するとともに、この摘み部を回転する。すると、前記板状パネルの両側に、前記回転軸に設けられたストッパーと前記摘み部とが配置された状態で、当該回し車が、ケース本体の周壁に取り付けられる。
【００２５】
【発明の実施の形態】
以下、本発明の一実施の形態を図に従って説明する。図１は、本実施の形態にかかる小動物用ケース１を示す図である。該小動物用ケース１は、小鳥やリスやハムスター等の小動物を飼育する際に用いられるものであり、ハムスターを飼育する場合を例に挙げて説明する。
【００２６】
すなわち、この小動物用ケース１は、ケース本体１１を備えており、該ケース本体１１は、矩形容器状の底部トレイ１２と、該底部トレイ１２の周縁に立設された周壁１３とによって構成されている。
【００２７】
このケース本体１１内には、図２にも示すように、回し車１４と吸水具１５と中間棚１６とが設けられており、該中間棚１６には、容器状のハウス１７が設置されている。このケース本体１１の上部には、天部である屋根１８が取り付けられており、当該ケース本体１１の上部開口部が閉鎖されている。
【００２８】
この屋根１８は、図１に示したように、三角形状に形成された相対向する側板２１と、両側板２１の対向した各斜辺間に架橋する傾斜板２２，２２とからなり、中央部が上方に突出した屋根形状に形成されている。この屋根１８の一方の傾斜板２２には、矩形状の開口部２３が設けられており、該開口部２３は、前記屋根１８に一縁が枢支された無色透明の窓２４によって開閉自在に閉鎖され、掃除等を行えるように構成されている。
【００２９】
また、前記屋根１８の他方の傾斜板２２には、前記ケース本体１１側へ没入する外方開口状の凹部３１が形成されており、該凹部３１の開口部分は、前記屋根１８に一縁が枢支された無色透明の蓋体３２で開閉自在に閉鎖されている。これにより、前記屋根１８には、小動物としてのハムスター３３の居住空間３４を形成するコミュニケーションルーム３５が形成されている。
【００３０】
このコミュニケーションルーム３５を形成する前記凹部３１の壁面４１には、前記ケース本体１１内部に連通する半円形状の出入口４２が開設されており、該出入口４２は、前記ハムスター３３が出入りできる大きさに設定されている。この出入口４２には、前記ケース本体１１内へ向けて延出する上段はしご部４３が設けられており、該上段はしご部４３は、前記中間棚１６に達している。この中間棚１６には、前記底部トレイ１２へ向けて延出する下段はしご部４４が設けられており、該下段はしご部４４は、底部トレイ１２の底面４５に達している。これにより、ケース本体１１内のハムスター３３の前記コミュニケーションルーム３５への登り降りを補助できるように構成されている。
【００３１】
前記ケース本体１１の周壁１３は、図３にも示すように、線材５１，・・・が離間して接合されてなる一方の壁部としての網状パネル５２，５２と、透明性を有した板状部材からなる他方の壁部である板状パネル５３，５３とが交互に連結されて形成されている。前記網状パネル５２は、長方形状に形成されており、両側縁の上部及び下部には、当該網状パネル５２を構成する前記線材５１が側縁より延出した後、折り返されてなる延出部としての折返し片５４，・・・が形成されている。
【００３２】
また、前記板状パネル５３も長方形状に形成されており、該板状パネル５３の両側縁部には、図４に示すように、対向する板状パネル５３へ向けて屈曲された屈曲部６１が形成されている。この屈曲部６１は、角部が全長に渡って内側へ後退されており、段差面６２が形成されている。この段差面６２の上部及び下部には（上部のみ図示）、前記網状パネル５２の前記折返し片５４が挿入される挿入孔６３が開設されている。また、この段差面６２に連接した連接面６４には、前記挿入孔６３へ挿入された前記折返し片５４を構成する線材５１の内側に挿入される係止部６５が突設されており、この係止部６５に前記折返し片５４が係合した状態で、該折返し片５４の抜けを阻止できるように構成されている。
【００３３】
一方、前記ケース本体１１内に設けられた前記中間棚１６は、図５に示すように、扇形状に形成されており、角部を形成する一方の辺には、図６にも示すように、断面Ｔ字状のＴ字突条７１が全長に渡って形成されている。
【００３４】
また、前記板状パネル５３の内側面には、図５に示したように、前記中間棚１６の縁部を支持する支持部としての挿入溝部８１が形成されている。該挿入溝部８１は、相対向して突設された断面Ｌ字状のレール部８２，８２によって形成されており、断面Ｔ字状の前記Ｔ字突条７１を挿入した状態で、前記中間棚１６を縁部にて係止して支持できるように構成されている。
【００３５】
前記中間棚１６の角部を形成する他方の辺には、前記網状パネル５２を構成する線材５１に係止される棚係止部９１，９１が二箇所に設けられている。この棚係止部９１は、先端が下方へ屈曲した一対の上部係止爪９２，９２と、先端が上方へ屈曲した下部係止爪９３とによって構成されており、該下部係止爪９３は、前記両上部係止爪９２，９２の間に設けられている。これにより、図６の（ｂ）に示すように、前記上部係止爪９２と前記下部係止爪９３間に、前記網状パネル５２の線材５１を上下から挟持した状態で、中間棚１６を網状パネル５２に支持し、該網状パネル５２と前記板状パネル５３との角部に設置できるように構成されている。
【００３６】
そして、前記ケース本体１１内に設けられた回し車１４は、図７にも示すように、有底円筒状の回し車本体１０１と、該回し車本体１０１の筒状部１０２に挿入される回転軸１０３とによって構成されている。該回転軸１０３の先端には、大径のフック部１０４が形成されており、該フック部１０４の側面には、複数のスリット１０５が形成されている。これにより、図８にも示すように、この回転軸１０３を前記回し車本体１０１の筒状部１０２に挿入した状態で、回転自在に保持できるように構成されている。
【００３７】
前記回転軸１０３の端部には、円板状のストッパー１１１が設けられており、該ストッパ１１１には、軸部１１２を介して縦長の摘み部１１３が形成されている。一方、前記板状パネル５３には、図７にも示したように、前記摘み部１１３が挿通された後、回転される縦長の抜け止め穴１１４が開設されており、図８に示したように、挿入した前記摘み部１１３を９０度回転することで、該摘み部１１３の前記抜け止め穴１１４からの抜けが防止されている。
【００３８】
以上の構成にかかる本実施の形態において、内部空間を包囲するケース本体１１の周壁１３は、その一部が透明性を有する板状パネル５３で構成されている。これにより、この板状部材５３の全域に内部を観察する領域を確保することができる。
【００３９】
したがって、周壁全体を構成する網材の金属線によって視界が妨げられ金属線間から内部を観察しなければならなかった従来を比較して、内部の観察を容易とすることができる。
【００４０】
また、ケース本体１１内のチップや食べかすの外部への飛散を防止することができる。
【００４１】
そして、前記周壁１３は、その一部が線材５１で形成された網状パネル５２で構成されている。これにより、この網状パネル５２を介して、内部と外部とで空気を通流することができ、通気性を確保することができる。
【００４２】
また、この周壁を形成する際には、網状パネル５２の折返し片５４，５４を、板状パネル５３の挿入孔６３，６３へ挿入する。すると、この挿入孔６３，６３へ挿入された前記折返し片５４，５４は、当該板状パネル５３に設けられた係止部６５，６５と係合して抜けが阻止され、両パネル５２，５３が連結される。
【００４３】
このように、網状パネル５２の折返し片５４，５４を、板状パネル５３の挿入孔６３，６３へ挿入し、前記折返し片５４，５４を係止部６５，６５に係合して抜けを阻止するだけで、両パネル５２，５３を連結することができる。これにより、組立を容易に行うことができる。
【００４４】
そして、前記折返し片５４を、当該網状パネル５２を構成する線材５１で構成することにより、構成の簡素化を図ることができる。
【００４５】
また、前記中間棚１６のＴ字突条７１を、前記板状パネル５３の挿入溝部８１へ挿入して支持した状態で、棚係止部９１，９１を前記網状パネル５２を構成する線材５１に係止することで、前記板状パネル５３と前記網状パネル５２との角部に中間棚１６を設置することができる。
【００４６】
このとき、この中間棚１６によって前記板状パネル５３と前記網状パネル５２との角部を補強することができる。
【００４７】
一方、前記板状パネル５３に回し車１４を取り付ける際には、該回し車１４を支持する回転軸１０３に設けられた摘み部１１３を、板状パネル５３の抜け止め穴１１４へ挿入するとともに、この摘み部１１３を９０度回転する。すると、前記板状パネル５３の両側に、前記回転軸１０３に設けられたストッパー１１１と前記摘み部１１３とが配置された状態で、当該回し車１４を、ケース本体１１の周壁１３に取り付けることができる。
【００４８】
なお、本実施の形態では、対向する壁部を網状パネル５２，５２又は板状パネル５３，５３で構成した場合を例に挙げて説明したが、これに限定されるものでは無く、図９（角部を構成する両壁部が板状パネル５３，５３の場合を説明する為の図）に示すように、隣接した壁部を板状パネル５２，５２で構成しても良い。この場合、一方の板状パネル５２の縁部に、図１０に示すように、側縁より延出した延出部２０１を設け、該延出部２０１に、係止部６５が係合する開口部２０２を形成する。
【００４９】
また、この場合、図９に示したように、挿入溝部８１が設けられた板状パネル５３に隣接する板状パネル５３には、中間棚１６の縁部に外嵌するコ字状の支持部としての差込部３０１を形成する。これにより、中間棚１６の一方の縁部に形成されたＴ字突条７１を、一方の板状パネル５３に設けられた挿入溝部８１で支持するとともに、他方の縁部を、他方の板状パネル５３に設けられた差込部３０１で支持することによって、両板状パネル５３，５３で形成された角部に中間棚１６を設置することができる。
【００５０】
そして、この中間棚１６によって両板状パネル５３，５３からなる角部を補強することができる。
【００５１】
【発明の効果】
以上説明したように、本発明の請求項１の小動物用ケースにあっては、内部空間を包囲するケース本体の周壁は、その一部が透明性を有する板状パネルで構成されており、この板状部材の全域に、内部を観察する領域を確保することができる。
【００５２】
したがって、周壁全体を構成する網材の金属線により視界が妨げられ金属線間から内部を観察しなければならなかった従来を比較して、内部の観察を容易とすることができる。
【００５３】
また、チップや食べかすの外部への飛散を防止することができる。
【００５４】
そして、前記周壁は、その一部が線材で形成された網状パネルで構成されている。これにより、この網状パネルを介して、内部と外部とで空気を通流することができ、通気性を確保することができる。
【００５５】
また、請求項２の小動物用ケースにおいては、周壁を構成する一方の壁部に設けられた延出部を、他方の壁部に設けられた挿入孔へ挿入し、前記延出部を係止部に係合して抜けを阻止するだけで、両壁部を連結することができる。これにより、組立を容易に行うことができる。
【００５６】
さらに、請求項３の小動物用ケースでは、前記一方の壁部を、網状パネルで構成し、前記延出部を、当該網状パネルを構成する線材が側縁より延出した後、折り返されてなる折返し片で形成することで、前記挿入孔へ挿入された状態で前記係止部で係止される前記折返し片を形成することができる。これにより、構成の簡素化を図ることができる。
【００５７】
加えて、請求項４の小動物用ケースにあっては、棚の縁部を板状パネルの支持部に支持することにより、ケース本体の周壁に棚を形成することができる。
【００５８】
また、請求項５の小動物用ケースでは、棚の縁部を、板状パネルの支持部に支持した状態で、棚係止部を前記網状パネルを構成する線材に係止することで、前記板状パネルと前記網状パネルとの角部に棚を設置することができる。
【００５９】
そして、この棚によって前記板状パネルと前記網状パネルとの角部を補強することができる。
【００６０】
さらに、請求項６の小動物用ケースにあっては、棚の一方の縁部を、一方の板状パネルの係止溝に係止するとともに、他方の縁部を、他方の板状パネルの係止溝に係止することで、前記板状パネルと前記板状パネルとの角部に棚を設置することができる。
【００６１】
そして、この棚によって前記両板状パネルからなる角部を補強することができる。
【００６２】
加えて、請求項７の小動物用ケースにおいては、回し車を支持する回転軸に設けられた摘み部を、板状パネルの抜け止め穴へ挿入するとともに、この摘み部を回転することで、前記板状パネルの両側に、前記回転軸に設けられたストッパーと前記摘み部とを配置した状態で、当該回し車を、ケース本体の周壁に取り付けることができる。
【図面の簡単な説明】
【図１】本発明の一実施の形態を示す斜視図である。
【図２】同実施の形態の要部断面図である。
【図３】同実施の形態の周壁を示す分解斜視図である。
【図４】図３のＡ部拡大図である。
【図５】同実施の形態の要部を示す分解斜視図である。
【図６】（ａ）は同実施の形態の中間棚の取付状態を示す図であり、（ｂ）は要部の断面図である。
【図７】同実施の形態の回し車の取付状態を示す図である。
【図８】同実施の形態の回し車の部分を示す断面図である。
【図９】他の周壁の角部を形成する両壁部が板状パネルで構成された場合を説明する為の図である。
【図１０】図９のＢ部拡大図である。
【符号の説明】
１    小動物用ケース
１１    ケース本体
１３    周壁
１４    回し車
１６    中間棚
５１    線材
５２    網状パネル
５３    板状パネル
５４    折返し片
６３    挿入孔
６４    係止部
７１    Ｔ字突条
８１    挿入溝部
９１    棚係止部
９２    上部係止爪
９３    下部係止爪
１０１    回し車本体
１０３    回転軸
１１１    ストッパー
１１２    軸部
１１３    摘み部
１１４    抜け止め穴
２０１    延出部
【図１】
2004344082.tif 000003
【図２】
2004344082.tif 000004
【図３】
2004344082.tif 000005
【図４】
2004344082.tif 000006
【図５】
2004344082.tif 000007
【図６】
2004344082.tif 000008
【図７】
2004344082.tif 000009
【図８】
2004344082.tif 000010
【図９】
2004344082.tif 000011
【図１０】
2004344082.tif 000012